Podtech/llm-jp-corpus-v4-ja_patent huggingface dataset:
(57)【要約】      （修正有）【課題】家具の組立て時に両手での手作業のみで、いかなる工具も用いずに容易に家具の組立てを完成できるようにする簡易式接合部品の組付け構造を提供する。【解決手段】簡易式接合部品の組付け構造は、ヒンジ１０の固定片１１を板材上に固定し、もう片方の回動片１２をもう１枚の板材に直接固定せず、固定ボルト１６のねじ部１７を、回動片の溝穴１４に貫通させた後、もう１枚の板材に取り付けられた固定ナット１８と締結することにより２枚の板材を固定するものである。【選択図】図１
0003182939.tif 000002
【実用新案登録請求の範囲】
【請求項１】
ヒンジの一端部である固定片を板材上に固定し、もう片方の端部である回動片を板材に直接固定せず、固定ボルトのねじ部を、前記回動片の溝穴に貫通させた後、もう１枚の板材に取り付けられた固定ナットと締結することにより２枚の板材を固定することを特徴とする簡易式接合部品の組付け構造。
【考案の詳細な説明】
【技術分野】
【０００１】
本考案は家具組立て手段の改良に関するものである。既存の組立て式家具の組立て時には、スクリュードライバー、ペンチ、ハンマー等のハンドツールを準備する必要があり、また板材は直角接合方式で組み立てることしかできないため、組み付けにはとても手間がかかり、どれも垂直で単調な組立て方式になってしまう。
【背景技術】
【０００２】
家具の組立ての際は板材同士を直角に接合する方法が主流であり、その組立てには接合部品により板材を固定する必要がある。これらの接合部品は組立て者が逐一ハンドツールを用いて接合部品と板材を組み付け、接合部品を取り付けた板材同士を組み立てて家具を完成させる。
しかし、設計上および構造上の理由により接合部品の材質は木、プラスチック、金属等であるため、既存の組立て式家具の組立てはハンドツール無しでは組立て完成が難しく、板材の接合は平行および垂直の２種類の形式になるので、組み立てた時の外観はいつまでも同じままである。
【考案の概要】
【考案が解決しようとする課題】
【０００３】
したがって、既存の組立て式家具の欠点は以下のとおりである。
１、板材間の接合形式はどれも平行か垂直で千編一律である。
２、接合部品の多くは板材内に取り付けるものなので、構造を理解したり分類するのに時間がかかり、取り付けの際間違うことがある。
３、接合部品の材質はプラスチック、木、金属等多種であり、板材に取り付ける時には組立て工具を要し、板材間の接合はハンドツールによる組み付けを必要とし、ハンドツールを用いないと接合が難しかったりしっかり固定できないといった事態が起こりやすい。
４、接合部品の多くは板材に取り付けた後取り外しができず、組み付け方を誤ると家具全体の組立てを完成できない。
５、多すぎる部品と部品図を照らし合わせるのは困難で、部品が多いために図中の部品と実際の部品を識別しにくい。
【課題を解決するための手段】
【０００４】
本考案の簡易式接合部品の組付け構造は、ヒンジの固定片を板材上に固定し、もう片方の回動片をもう１枚の板材に直接固定せず、固定ボルトのねじ部を、前記回動片の溝穴に貫通させた後、前記もう１枚の板材に取り付けられたナットと締結することにより２枚の板材を固定するものである。
【考案の効果】
【０００５】
本考案は、上述の慣用技術に改良を加えたものであり、簡易式で体積の小さい接合部品を設計し、ヒンジ式の設計を採用して没入式ナットと組み合わせて使用することで、組立てが容易になるだけでなく、ヒンジの設計により板材の間の接合が平行と垂直に制限されず、ヒンジが異なる角度に回動することにより、組立て式家具の設計者が異なる組み付け角度で変化のある設計をできるようになり、消費者もより多くの変化を有する組立て式家具を選択できるようになる。
【図面の簡単な説明】
【０００６】
【図１】本考案の好ましい実施例の接合部品の分解図。
【図２】本考案の好ましい実施例の接合部品の組付けを示す図。
【考案を実施するための形態】
【０００７】
（実施例）
図１と図２は本考案の好ましい実施例の接合部品の組付け構造を示す図であり、ヒンジ１０の設計において、ヒンジ１０は固定片１１および回動片１２から成り、固定片１１および回動片１２は２組の軸管２３、２４を設け、軸管２３、２４は軸方向に交互嵌合し、ピン２０を２組の軸管２３、２４に挿入して固定し、固定片１１および回動片１２が軸方向から脱落するのを防止する。固定片１１は１組の貫通孔１３を設けてねじくぎ１５を貫通させ板材２１上に固定される。
【０００８】
また、ヒンジ１０の回動片１２上の溝穴１４に対応する板材２２上の位置に固定ナット１８を取り付ける。固定ナット１８の外周上はエンボス１９の設計を有し、板材２２にしっかり固定され回転しないようになっている。固定ナット１８は固定ボルト１６の前端のねじ部１７に締結固定する。
【０００９】
上述のヒンジ１０の固定片１１は、生産時に板材２１上に締結固定しておき、溝穴１４に対応する板材２２上の位置には固定ナット１８を取り付けておく。
こうすることで、消費者は購入後の組立ての際、固定ボルト１６前端のねじ部１７を溝穴１４に貫通させ固定ボルト１８に締結するだけで、板材２１、２２を連結固定して接合し一体化でき、かつ手で固定ボルト１６を回転させるだけで完成できる。この板材２１、２２の接合角度は変更可能であり直角に制限されることはない。これにより角度変化が増すだけでなく多様化したスタイルの設計が可能になる。
【００１０】
本考案は、類似のものが公開または出願されたことはなく完全な新規性を有しており、産業上利用性の価値を実質的に増進する効果も有しているので、法に基づきここに実用新案登録願を提出する。
ただし、本明細書は好ましい実施例を説明したものに過ぎず、本考案の実施範囲を限定するものではない。従って、本考案の原理と技術に基づき加えた各構成要素の変更や潤色は全て、本考案の実用新案登録請求の範囲内に含まれる。
【符号の説明】
【００１１】
１０  ヒンジ
１１  固定片
１２  回動片  
１３  貫通孔
１４  溝穴  
１５  ねじくぎ
１６  固定ボルト  
１７  ねじ部
１８  固定ナット  
１９  エンボス部
２０  軸部  
２１、２２  板材
２３、２４  軸管
【図１】
0003182939.tif 000003
【図２】
0003182939.tif 000004
(57)【要約】      （修正有）【課題】接合部品を取り付けることにより組立て分解をより便利にし、いかなる工具も用いずに容易に家具の組立てを完成できるようにする簡易式接合構造を提供する。【解決手段】簡易式接合構造は、位置固定ベース１０と、位置固定連結ロッド１７とからなる。位置固定連結ロッドがそれぞれ板材の平面および側端面上に組み付けられ、板材同士が係着連結されて家具が組立てらる。位置固定ベースには溝貫通孔１１と、溝貫通孔後方には溝穴１２を設け、溝穴周辺にはフック板１３を形成し、位置固定連結ロッド前端には接合部１８を設け、中間には嵌合溝１９を形成する。位置固定ベースのフック板と位置固定連結ロッドの嵌合溝を嵌合することにより板材を接合固定するものである。【選択図】図１
0003182940.tif 000002
【実用新案登録請求の範囲】
【請求項１】
位置固定ベースと、位置固定連結ロッドとを含み、位置固定連結ロッドはそれぞれ板材の平面および側端面上に組み付けられる設計であり、前記板材同士が係着連結されて家具が組立てられ、
前記位置固定ベースには溝貫通孔を設け、前記溝貫通孔の後方には溝穴を設け、前記溝穴の周辺にはフック板を形成し、
前記位置固定連結ロッドの前端には接合部を設け、中間には嵌合溝を形勢し、前記位置固定ベースの前記フック板と前記位置固定連結ロッドの前記嵌合溝を嵌合することにより前記板材を接合固定することを特徴とする、
簡易式接合構造。
【考案の詳細な説明】
【技術分野】
【０００１】
本考案は組立て式家具の各板材接合手段の改良に関するものである。
【背景技術】
【０００２】
現在組立て式家具の組立て時には、スクリュードライバー、ペンチ、ハンマー等の工具を準備する必要があり、準備した工具でねじやほぞロッド等を逐一板材に嵌入し、板材同士を接合するとともに工具を用いて板材同士を固定することになる。
市場に出ている既存の組立て式家具の板材上の接合部品は金属製、プラスチック製または木製であり、これらの組立て式家具の組立て時には、まず接合部品をハンドツールで逐一成形された板材に組み付け、接合部品を取り付けた板材同士を組み立てて設定の家具を製作する。このような組み付けはハンドツールにより完成させる。
【考案の概要】
【考案が解決しようとする課題】
【０００３】
したがって、購入者が組み立てる際、以下のような問題がしばしば起こる。
１、接合部品が多く、組立てを間違わないようにするために構造を理解したり分類するのに時間がかかる。
２、接合部品の材質はプラスチック、木、金属等多種であり、板材に取り付ける時には組立て工具を要するだけでなく、材間の接合はハンドツールによる組み付けを必要とし、ハンドツールを用いないと接合が難しかったりしっかり固定できないといった事態が起こりやすい。
３、接合部材の中には板材に取り付けた後取り外しができないものもあり、組み付け方を誤ると家具全体の組立てを完成できない。
４、図面を読む能力の劣る使用者にとっては、多すぎる部品と部品図を照らし合わせるのは困難である。
【課題を解決するための手段】
【０００４】
本考案の簡易式接合構造は、位置固定ベースと、位置固定連結ロッドとを含み、位置固定連結ロッドがそれぞれ板材の平面および側端面上に組み付けられる設計であり、前記板材同士が係着連結されて家具が組立てられ、前記位置固定ベースには溝貫通孔を設け、前記溝貫通孔後方には溝穴を設け、前記溝穴周辺にはフック板を形成し、前記位置固定連結ロッド前端には接合部を設け、中間には嵌合溝を形成し、前記位置固定ベースの前記フック板と前記位置固定連結ロッドの前記嵌合溝を嵌合することにより前記板材を接合固定するものである。
【考案の効果】
【０００５】
本考案は、上述の慣用技術に改良を加え、簡易式接合部品を設計したものであり、前記接合部品は、体積が小さいだけでなく、工場で直接板材上に組みつけられることにより、体積が小さいので板材を積み重ねての包装にも影響せず、板材が傷つくこともない。また、最も重要なのは、消費者が全く工具を必要とせず、手だけで短時間に組立てを完成できることである。
【図面の簡単な説明】
【０００６】
【図１】本考案の好ましい実施例の接合部品の立体分解図。
【図２】本考案の好ましい実施例の接合部品の立体組付け図。
【考案を実施するための形態】
【０００７】
（実施例）
図１と図２は本考案の好ましい実施例の分解図および組付け図であり、主に、位置固定ベース１０を没入方式により板材１６上に平面が平らになるくらい没入させて取り付け、位置固定ベース１０には１組の溝貫通孔１１を設ける。溝貫通孔１１の溝状の設計は前方だけが溝と同じサイズの貫通孔の設計であり、後方にそれぞれより小さいサイズで前方の貫通孔と連通している溝穴１２を設ける。
溝穴１２の幅は溝貫通孔１１の幅より小さいので、溝穴１２の溝辺にフック板１３が形成される。位置固定ベース１０の両側にはそれぞれ固定孔１４を設け、固定孔１４にねじくぎ１５を貫通させ板材１６上に締結固定することで、位置固定ベース１０を板材１６の平面上に固定する。
【０００８】
また、位置固定ベース１０の溝貫通孔１１に対応する１組の位置固定連結ロッド１７を設け、位置固定連結ロッド１７の前端には接合部１８を設け、中間には嵌合溝１９を形成し、位置固定連結ロッド１７を板材１６上の位置固定ベース１０に対応するように板材２０の端面に固定する。
【０００９】
以上の位置固定ベース１０および位置固定連結ロッド１７はそれぞれ生産時に板材１６、２０上に固定しておく。組立て式家具を購入した消費者は、家具を構成する板材を順序および所定位置どおりに置いて確定したあと、位置固定連結ロッド１７前端の接合部１８を溝貫通孔１１内に挿入し、溝穴１２方向に押し動かすことで、嵌合溝１９とフック板１３が嵌合する。
この時接合部１８および位置固定連結ロッド１７はそれぞれフック板１３の両側に係止し、板材１６、２０は相互に垂直の接合を形成する。消費者が各板材を順に接合してゆくだけで設計されたスタイルどおりに組立て式家具が組立て形成される。
【００１０】
本考案は、類似のものが公開または出願されたことはなく完全な新規性を有しており、産業上利用性の価値を実質的に増進する効果も有しているので、法に基づきここに実用新案登録願を提出する。
ただし、本明細書は好ましい実施例を説明したものに過ぎず、本考案の実施範囲を限定するものではない。従って、本考案の原理と技術に基づき加えた各構成要素の変更や潤色は全て、本考案の実用新案登録請求の範囲内に含まれる。
【符号の説明】
【００１１】
１０  位置固定ベース  
１１  溝貫通孔
１２  溝穴  
１３  フック板
１４  固定孔
１５  ねじくぎ
１６  板材  
１７  位置固定連結ロッド
１８  接合部  
１９  嵌合溝
２０  板材
【図１】
0003182940.tif 000003
【図２】
0003182940.tif 000004
(57)【要約】      （修正有）【課題】柔軟性のある基材で製作し、携帯・収納が容易で、かつ壁等に繰り返し張り付け可能に構成した黒板を提供する。【解決手段】平滑層１や磁石層２、コロイド層３及び基材４等の部材からなり、上記平滑層の表面には、水性筆やチョークで書くことができ、底面に、磁石層を張り付け、上記磁石層の底面に、コロイド層を形成し、基材４をコロイド層３に張り付ける。壁に固定する黒板から、コロイド層３に張り付いて基材４を剥離して、剥離したものを保管し、その後、コロイド層３で、壁に張り付いて固定するだけで、平滑層１に、書くことができる。また、平滑層１とコロイド層３との間に、磁石層２が設けられ、平滑層１に、金属製のものが吸着され、上記平滑層１に書かれたものは、一般の黒板消しで消すことができる。【選択図】図１
0003182936.tif 000002
【実用新案登録請求の範囲】
【請求項１】
柔軟性のある材質からなり、表面が平滑面で、水性筆やチョークで書くことができる平滑層と、
柔軟性を有する磁石材質からなり、平滑層の底面に張り付かれる磁石層と、
磁石層の底面に付着され、重複粘着できる粘着層であるコロイド層と、
柔軟性を有する材質からなり、コロイド層に張り付かれ、繰り返して、上記コロイド層に張り付くことができ、また、上記コロイド層から剥離できる基材と、
が含有される、
ことを特徴とする吸着可能の痕跡無しの無毒環境保護黒板。
【考案の詳細な説明】
【技術分野】
【０００１】
本考案は、痕跡無しの無毒環境保護黒板に関し、特に、コロイドと磁石層を有する柔軟性黒板で、携帯便利や収納簡単、重複に貼り付けて使用でき、また、磁性吸着できる新規構成に関する。
【背景技術】
【０００２】
既存の市販の黒板構成は、固定式で、収納できない構成であり、黒板構成自身は、異なる場所やニーズに応じて、調整や携帯及び収納できない。
【０００３】
上記従来の黒板構成には、次の問題点があり、１、単純な書き機能しかなく、他の付加実用性がなく、２、黒板構成は、折り畳むことができず、携帯便利性がなく、３、黒板構成が折り畳むことができないため、保管に、空間利用性がよくなく、そして、４、黒板構成が、吊り下げる構成を有しないため、後付の定位構成で固定しなければならない。
【０００４】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００５】
本考案は、１、コロイド層を有して、重複に張り付いて定位することができ、２、磁石層を有し、金属製のものを吸着でき、３、柔軟性を使用して、携帯や保管の便利性が向上され、４、張り付けることや隔離することができるため、所定の位置に、設置する操作が、非常に便利であるなどの利点を得る吸着可能の痕跡無しの無毒環境保護黒板を提供する。
【課題を解決するための手段】
【０００６】
請求項１の考案は、柔軟性のある材質からなり、表面が平滑面で、水性筆やチョークで書くことができる平滑層と、柔軟性を有する磁石材質からなり、平滑層の底面に張り付かれる磁石層と、磁石層の底面に付着され、重複粘着できる粘着層であるコロイド層と、柔軟性を有する材質からなり、コロイド層に張り付かれ、繰り返して、上記コロイド層に張り付くことができ、また、上記コロイド層から剥離できる基材と、が含有される、ことを特徴とする吸着可能の痕跡無しの無毒環境保護黒板。
【０００７】
以下、図面を参照しながら、本考案の特徴や技術内容について、詳しく説明するが、それらの図面等は、参考や説明のためであり、本考案は、それによって制限されることが無い。
【考案を実施するための形態】
【０００８】
図１と図２のように、本考案に係る実施例は、柔軟性のある材質からなり、表面が平滑面で、水性筆やチョークで書くことができる平滑層１柔軟性を有する磁石材質からなり、平滑層１の底面に張り付かれる磁石層２と、磁石層２の底面に付着され、重複粘着できる粘着層であるコロイド層３と、柔軟性を有する材質からなり、コロイド層３に張り付かれ、繰り返して、上記コロイド層３に張り付くことができ、また、上記コロイド層３から剥離できる基材４と、が含有される。
【０００９】
図３と図４は、本考案の実施例の全体構成を壁に張り付く概念図で、壁５に固定する吸着可能の痕跡無し無毒環境保護黒板から、コロイド層３に張り付いて基材４を剥離して、剥離したものを保管し、その後、コロイド層３で、壁５に張り付いて固定するだけで、、平滑層１に、書くことができ、また、平滑層１とコロイド層３との間に、磁石層２が設けられ、平滑層１に、金属製のものが吸着され、上記平滑層１に書かれたものは、一般の黒板消しで消すことができ、また、水で、消すことができ、使用した後、コロイド層３を、壁５から剥離して、先に剥離された基材４を、改めてコロイド層３に張り付くと、コロイド層３と基材２とが、元の様子に回復される。
【００１０】
そのため、本考案は、より進歩的かつより実用的で、法に従って実用新案登録請求を出願する。
【００１１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１２】
【図１】本考案の一つの実施例の全体構成外観概念図
【図２】本考案の一つの実施例の全体構成断面概念図
【図３】本考案の一つの実施例の全体構成を壁に張り付く状態の概念図（一）
【図４】本考案の一つの実施例の全体構成を壁に張り付く状態の概念図（二）
【符号の説明】
【００１３】
１  平滑層
２  磁石層
３  コロイド層
４  基材
５  壁
【図１】
0003182936.tif 000003
【図２】
0003182936.tif 000004
【図３】
0003182936.tif 000005
【図４】
0003182936.tif 000006
(57)【要約】      （修正有）【課題】飲食店等で使用済みティーバックを収納するパッケージを提供する。【解決手段】正面側胴体と背面側胴体の内側溶着部にて結合した袋状の収納部と、袋状の収納部の底面が自立型である。また、パッケージの材質は防水加工のコーティング紙を用いる。【選択図】図５
0003182032.tif 000002
【実用新案登録請求の範囲】
【請求項１】
正面側胴体と背面側胴体の内側溶着部にて結合した袋状の収納部と、前記袋状の収納部の底面が自立型である折りたたみ型のティーバッグ収納パッケージ
【請求項２】
前記パッケージの材質は防水加工のコーティング紙を用いることを特徴とする請求項１記載のティーバッグ収納パッケージ
【考案の詳細な説明】
【技術分野】
【０００１】本考案は、使用者（利用者）自ら使い終わったティーバックの処理に関するものである。
【背景技術】
【０００２】従来、飲食店等で使用済みとなったティーバックを、収納するパッケージがが特になかった。
【考案の概要】
【考案が解決しようとする課題】
【０００３】しかしながら従来、飲食店等で使用済みティーバックは、カップの受け皿などに置かれていた。その為受け皿に、ティーバッグからの液溜りができ、その液体がカップの底部に付着し、カップを口元に運ぶ途中で滴がたれ、衣服を汚す等のわずらわしさを生じている。
また、美観上もテーブル上の廃物として、汚物のような不快感をもたらしていた。
本考案は、このような欠点をなくす為になされたものである。
【課題を解決する為の手段】
【０００４】本考案はこのような従来の問題を解決しようとするもので、正面側胴体と背面側胴体の内側溶着部にて結合した袋状の収納部と、前記袋状の収納部の底面がが自立型である折りたたみ型のティーバッグ収納パッケージを提供することを目的とするものである。
また、パッケージの材質は防水加工のコーティング紙を用いる。
【考案の効果】
【０００５】  本考案により、使用済みティーバックは本パッケージに収納され、カップの底から滴がたれきて、衣服を汚すような事はなくなる。
また、使用済みティーバッグが視界から消える事により、美観上の不快感も解消される。
【図面の簡単な説明】
【０００６】
【図１】  本考案の展開図
【図２】  本考案の山折り線８を鋭角に折った折り曲げ図
【図３】  本考案の谷折り線７、谷折り線９を鋭角に折った折り曲げ図
【図４】  本考案のフットボール状底部斜視図
【図５】  本考案のティーバッグをいれた状態図
【図６】  本考案のフタをかぶせた状態図
【考案を実施するための形態】
【０００７】以下、本考案の実施の形態を図１〜図７に基づいて説明する。
【０００８】図１の展開図において谷折り線７は正面側胴体１と正面側底部２の間の谷折り線である。上記展開図において、山折り線８は正面側底部２と背面側底部３の間の山折り線である。同様に谷折り線９は背面側底部３と背面側胴体４の間の谷折り線でる。
【０００９】図２の記載のとおり山折り線８を山折りとし、正面側底部２と背面側底部３を引き寄せる。
【００１０】さらに図３のように谷折り線７と谷折り線９を鋭角に谷折りとし正面側胴体の内側溶着部６−１と正面側底部の内側溶着部６−２、背面側底部の内側溶着部６−３と背面側胴体の内側溶着部６−４、正面側胴体の内側溶着部６−１と背面側胴体の内側溶着部６−４とを矢印Ａ方向及び矢印Ｂ方向からそれぞれ圧着器を用いて圧着し、熱加工により接着し、袋型を構成する。
【００１２】以下、上記構成の使用方法を説明する。
まず図５に示したように本全体構造を直立させ、矢印Ｃ矢印Ｄ方向に圧力を加えると正面側胴体１と、背面側胴体４及びフタ部５との間にフットボール状曲面開口１２がつくられ、このフットボール状曲面開口１２に使用済みティーバッグを投入する。
【００１３】使用済みティーバッグ投入後は谷折り線１０により、フタ部５を内側に折り曲げると図６に示した状態となり、一連の動作は終了する。
【００１４】図４に示したとおり、上記フットボール状曲面開口１２が作られた時点では、同時に底部もフットボール状曲面底部１３となり、自立袋を形成する。
【００１５】本考案の材質は防水加工のコーティング紙とする。
【符号の説明】
【００１６】    １  正面側胴体
２  正面側底部
３  背面側底部
４  背面側胴体
５  フタ部
６−１  内側溶着部
６−２  内側溶着部
６−３  内側溶着部
６−４  内側溶着部
７  谷折り線
８  山折り線
９  谷折り線
１０  谷折り線
１１  正面フチ部
１２  フットボール状曲面開口
１３  フットボール状曲面底部
【図１】
0003182032.tif 000003
【図２】
0003182032.tif 000004
【図３】
0003182032.tif 000005
【図４】
0003182032.tif 000006
【図５】
0003182032.tif 000007
【図６】
0003182032.tif 000008
(57)【要約】      （修正有）【課題】ワカメの天日干しに際し、ワカメの落下を防ぐと共に干し綱を介した干したワカメと干しバサミが風圧による横移動を防止する海藻類天日干し用ハサミを提供する。【解決手段】干しバサミの強度とその先端部と中程に複数の円錐形突起針７を設ける事により二重にワカメの落下を防ぐ。又、干し綱を干しバサミ自身の円錐形突起針９が喰え込む事により、挟み込んだ干しワカメが風圧による干し綱上の横移動を防ぐ。【選択図】図３
0003182040.tif 000002
【実用新案登録請求の範囲】
【請求項１】
ワカメ等の海藻類を天日干しする際に使用する干しバサミ自身に強度を持たせ、先端部と挟み込み部に数列の円錐形の突起状針を施す事により干しワカメを喰え込み、落下を防ぐと共に干し綱を円錐形突起針で喰える事によって干しバサミ自体が風圧によって横移動しない事を特徴とした
海藻類天日干し用ハサミ。
【考案の詳細な説明】
【技術分野】
【０００１】本考案は、棒を立てて、横に張った干し綱を介してワカメ等海藻類を天日にて乾燥させる際に使用する干しバサミに関するものである。
【背景技術】
【０００２】収穫したワカメは、一時処理（水洗い等）後、ある程度まで天日で乾燥させるのが一般的な方法である。
その際、横に張った干し綱を介して洗濯バサミや、やや大きめな先端と両側に鋸状のギザギザがある干しバサミを使ってワカメの茎を挟み込み、吊るして乾燥させる。
【先行技術文献】
【特許文献】
【先行技術文献】
【考案の概要】
【考案が解決しようとする課題】
【０００３】市販されている洗濯バサミや先端と両側に鋸状のギザギザのある干しバサミだとワカメの茎に十分喰い込まず、又、干しバサミの芯にあるコイル・スプリングは強度が弱いため保持力に限界が有り、大きくて重量のあるワカメだと最初から吊るせないか、乾燥させている間に風等の影響を受け、落下してしまう。
落下したワカメはゴミが付着しているため、再度、一時処理をして干す必要があり、作業手間と時間を要している。【０００４】市販の干しバサミは取付け芯の勘合性が甘いため、十分な保持能力が無かったり、ハサミ自体の不具合率が高いのが実情である。【０００５】又、風が吹くと干しバサミは吊るしたワカメごと風圧で横へ動かされ、隣に干したワカメとくっついてしまい、剥がすのに作業手間と時間を要している。【０００６】そのため、ワカメを干す綱の間隔を大きく空ける必要があり、干し綱にロスが生じている。【０００７】本考案は、干しバサミに強力な保持力を得るため、二ヶ所にスプリングバネを設け、干しバサミの内側両面に円錐形の突起針を数列設置する事によって二重にワカメの落下防止策を施している【０００８】干しバサミが風圧によって横へ動かされないよう干しバサミが干し綱を喰ええ込むヶ所にもノコギリ状のギザギザの形状を施す事によって、干し綱に食い込む対策を施す事によって問題を解決した。
【考案の効果】
【０００９】前述の通り、干しワカメの落下による、再処理（水洗い等）や再び天日干し等の手間作業と時間を省き、且つ、隣に干したワカメとのくっつきを防ぎ、干し綱の効率の良い使い方で作業の簡便化を果たす。
【図面の簡単な説明】
【００１０】
【図１】市販されている最も多く使用されている干しバサミの外形図である。
【図２】その干しバサミを使った実用例の切りかけ図である。
【図３】本考案の干しバサミの外形図である。
【図４】本考案の干しバサミを使った実用例の切りかけ図である。
【図５】本考案の干しバサミの上下両面の内側と正面からの摸式図である。
【考案を実施するための形態】
【００１１】以下、本考案の実施の形態を図３〜図４に基づいて説明する。
【００１２】図３は、本考案に係わる全体を示す外形図であり、
図４は、実用を示す摸式図である。
【００１３】本考案は、円錐形突起状の針（符号７）、干し綱取り付け位置（符号８），干し綱取り付け位置の円錐形突起針（符号９）、二個のスプリングバネ（符号１０），上下のハサミの支点となる勘合部（符号１２））から構成されている。
【考案を実施するための形態及び実施例】
【００１４】本考案の干しバサミは二ヶ所に設置したスプリングの強さで干しバサミの両面内側に配置した円錐形突起針が干しワカメの茎に喰い込む事による落下防止と、同時に干し綱にも喰い込み、横移動を防止し、干しワカメを短い間隔で吊るし、干し綱の干しロスを無くし、効率よく干す事が出来る。
【考案を実施する為の形態】
【実施例】
【００１５】図３の示す通り。
【符号の説明】
【００１６】  １  市販品の干しバサミの鋸状ギザギザの突起
２  市販品の上限接合の芯棒
３  市販品のコイル・スプリング
４  紐を取り付ける穴
５  干し綱の断面図
６  ワカメの茎部切りかけ図
７  ワカメの茎部を挟み込む円錐形突起針
８  干し綱を通すための円形状図
９  干し綱を喰え込む円錐形突起針
１０  スプリング
１１  スプリングの上下移動用穴
１２  干しバサミの上下の支点
【図１】
0003182040.tif 000003
【図２】
0003182040.tif 000004
【図３】
0003182040.tif 000005
【図４】
0003182040.tif 000006
【図５】
0003182040.tif 000007
(57)【要約】【課題】  吊り下げ荷重に制限のある壁であっても、押しピン等で固定することのできる壁掛け装飾パネルを提供することを課題とする。【解決手段】内箱とそれに被せる外蓋とを備え、前記内箱には、壁に固定する貫通孔が複数設けられ、前記外蓋の外表面には、装飾が施されている。【選択図】図２
0003182031.tif 000002
【実用新案登録請求の範囲】
【請求項１】
内箱とそれに被せる外蓋とを備え、前記内箱には、壁に固定する貫通孔が複数設けられ、前記外蓋の外表面には、装飾が施されていることを特徴とする壁掛け装飾パネル。
【考案の詳細な説明】
【技術分野】
【０００１】  この考案は、紙製の壁掛け装飾パネルに関する。
【背景技術】
【０００２】  壁掛けパネルとしては、ベニア板をアルミニウムのフレームで囲ったものが一般的であるが、このようなパネルは、重く、クロス張りの壁に吊り下げるには、不向きであった（下記特許文献１参照）。
【先行技術文献】
【特許文献】
【０００３】
【特許文献１】実用新案登録第３１２２９８２号公報
【考案の概要】
【考案が解決しようとする課題】
【０００４】  この考案は、吊り下げ荷重に制限のある壁であっても、押しピンや両面テープ等で固定することのできる壁掛け装飾パネルを提供することを課題とする。
【課題を解決するための手段】
【０００５】  この考案に係る壁掛け装飾パネルは、内箱とそれに被せる外蓋とを備え、前記内箱には、壁に固定する貫通孔が複数設けられ、前記外蓋の外表面には、装飾が施されていることを特徴とする。
前記内箱を壁に固定するには、例えば、押しピン、両面接着テープ等を利用する。
あるいは、内箱に紐を掛けて、それを壁から吊るすこともできる。
【考案の効果】
【０００６】  この考案によれば、パネル全体が紙製の箱で成形されているため、極めて軽く、かつ丈夫であるため、押しピンや両面テープ等の簡単のものでクロス張りの壁に固定することができる。
【図面の簡単な説明】
【０００７】
【図１】本考案に係る壁掛け装飾パネルの内箱と外蓋の外観斜視図。
【図２】前記内箱に外蓋を被せて壁に吊り下げた状態の外観斜視図。
【考案を実施するための形態】
【０００８】  図１、２において、内箱２の底には、壁に固定するための貫通孔２１が複数設けられている。また、内箱２に被せる外蓋３の外表面には、種々の装飾が施された紙が貼られている。その紙は、例えば、洋紙や民芸紙、特殊な壁紙である。
【０００９】  図２は、内箱２に外蓋３を被せた壁掛け装飾パネル１を示す。この実施例では、前記貫通孔２１に紐２２を通してその両端に抜け止め用の結び目を形成し、それを壁から吊り下げたものである。その他にも、押しピンや両面テープを使用して内箱２を壁に固定してから外蓋３を被せても良い。
【符号の説明】
【００１０】１      壁掛け装飾パネル
２      内箱
３      外蓋
２１    貫通孔
２２    紐
２３    押しピン
【図１】
0003182031.tif 000003
【図２】
0003182031.tif 000004
(57)【要約】      （修正有）【課題】貯金箱に係わり、強制的な貯金を可能にする貯金箱を提供する。【解決手段】貨幣投入口２と貨幣取り出し口と貨幣収納部６とを備えた貯金箱１において、前記貨幣投入口２は硬貨と紙幣それぞれを投入できる貨幣投入口２であって、さらに貨幣が投入されたことをセンサ３により検知して作動するタイマー４と、前記タイマー４により電源のＯＮ／ＯＦＦが切り替えられる電源部５とを備える。【選択図】図１
0003182086.tif 000002
【実用新案登録請求の範囲】
【請求項１】
貨幣投入口と貨幣取り出し口と貨幣収納部とを備えた貯金箱において、前記貨幣投入口は硬貨と紙幣それぞれを投入できる貨幣投入口であって、さらに貨幣が投入されたことをセンサにより検知して作動するタイマーと、前記タイマーにより電源のON/OFFが切り替えられる電源部とを備えたことを特徴とする貯金箱。
【考案の詳細な説明】
【技術分野】
【０００１】
本考案は、貯金箱に係わり、特に強制的な貯金を可能にする貯金箱に関する。
【背景技術】
【０００２】
貯金箱は、一般的にお金を貯める目的で使用される。
従来の貯金箱は、貨幣を入れる投入口を備えた容器であり、プラスチックや陶器や缶等で出来ており、筒状の単純な形状のものから動物等様々な形をモチーフにしたもの等、多種多様なものがある。
これらの貯金箱には、貨幣を入れる投入口のほかに、貯金箱内が貨幣でいっぱいになった際に、貨幣を取り出すための取り出し口を通常備えている。
そして、貯金箱の利用者の意思により、利用目的に応じて貨幣を取り出し、使用するものである。
【先行技術文献】
【特許文献】
【０００３】
【特許文献１】特開２００６−４４０
【特許文献２】特開平５−１２２６９７
【考案の概要】
【考案が解決しようとする課題】
【０００４】
上記のような従来の貯金箱には、以下のような問題点があった。
貯金箱に貨幣を入れる行為は、利用者の意思によるものであるため、貯金の意思がなければなかなかお金を貯めることができない。
【課題を解決するための手段】
【０００５】
本考案は上記課題を解決するために、本考案の貯金箱は、貨幣投入口と貨幣取り出し口と貨幣収納部とを備えた貯金箱において、前記貨幣投入口は硬貨と紙幣それぞれを投入できる貨幣投入口であって、さらに貨幣が投入されたことをセンサにより検知して作動するタイマーと、前記タイマーにより電源のON/OFFが切り替えられる電源部とを備えたことを特徴とする。
【考案の効果】
【０００６】
本考案の貯金箱は、貨幣を投入した際に、タイマー機能が作動し、つまり、電源部がONとなり、電源部に接続された家電製品が使用可能となるので、当該貯金箱に接続された 
家電製品を使用するためには必ず貯金箱の貨幣投入口に貨幣を入れなければならず、貯金の意思がなくても自然に貯金される。
【図面の簡単な説明】
【０００７】
【図１】本考案の貯金箱の基本的構成を示す斜視図である。
【考案を実施するための形態】
【０００８】
図１は本考案の貯金箱の基本的構成を示す斜視図である。
図１において、貯金箱１の前面には貨幣投入口２が設けられており、硬貨と紙幣いずれでも投入可能なような図示せぬ内部機構を有している。また、貨幣投入口２から投入された貨幣は、センサ３により貨幣であることを識別すると、タイマー４を作動させ、ＡＣ１００Ｖに接続された電源部５をＯＮにする。タイマー４は予め電源部５への通電時間を設定できるようになっている。投入後の貨幣は最終的に貨幣収納部６に収納され、ある程度貯まった時点で回収される。
上記構成の貯金箱によれば、貨幣を投入した際に、タイマー４が作動し、つまり、電源部５がONとなり、電源部５に設けられたコンセント７に接続された家電製品等が使用可能となるので、当該貯金箱１に接続された 
家電製品等を使用するためには必ず貯金箱１の貨幣投入口２に貨幣を入れなければならず、貯金の意思がなくても自然に貯金される。
また、タイマー４を適宜時間設定することにより、貯金箱１にテレビゲーム機を接続すれば、子供が興じるゲーム時間の制限を行うことができるので、テレビゲームを使用する時間の管理を行うことが可能となる。
【符号の説明】
【０００９】
１  貯金箱
２  貨幣投入口
３  センサ
４  タイマー
５  電源部
６  貨幣収納部
７  コンセント
【図１】
0003182086.tif 000003
(57)【要約】      （修正有）【課題】フィルムシートを用いて容易に組み立てられ、かつ十分な強度を持つ組み立て飛行機を提供する。【解決手段】組み立て飛行機に備わる胴体２である。トムソン型で折り筋加工、打ち抜き加工された胴体２を組み立て、胴体２の両端に対になる様に設けられた複数の差し込みａ１、ｂ１、ｃ１と切り込みａ２、ｂ２、ｃ２を組み合わせる事で、糊やテープ等の接着道具がなくても強度を保つ事ができる。この組み立て飛行機の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。【選択図】図２
0003182051.tif 000002
【実用新案登録請求の範囲】
【請求項１】
薄地のフィルムシート材料に対しトムソン型を使用して打ち抜いた複数の部品を組み合わせることで、糊やテープ等の接着道具を用いる事無く簡単に模型の飛行機を作製できる事を特徴とする組み立て飛行機
【請求項２】
前記の材料に対する印刷は、オフセット印刷を用いて絵や文字、写真などを印刷した請求項１に記載の組み立て飛行機
【考案の詳細な説明】
【技術分野】
【０００１】  本考案は主として、フィルムシート材料に対して多目的に使用できる利便性の高いノベルティー商品に関するものである。
【背景技術】
【０００２】  従来の紙で作製していた組み立て飛行機は、組み立てるときに固定用の糊やテープ、シートからパーツを分離する為のはさみやカッター等の道具が必要だった。また、紙製の飛行機は水等の液体でぬれた場合にその品質が大きく劣化する。
【考案が解決しようとする課題】
【０００３】  ノベルティとして本物品を手にした場合に、その場で組み立てて使用する事ができる様に固定に用いる部分の構造を組やすく、外れにくいものとした。また、耐水性の高いフィルムシートを使用する事で、水に強い商品を作製する事ができる。
【０００４】  少なからずプラスチック製品は廃棄処理の段階で環境に負荷をかけてしまうという課題を持っているが、本考案である留め具付きうちわの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００５】  トムソンで打ち抜いた各部分の接合部分の構造を組み立てやすく、かつ外れにくくするために、フック部に切り込みを入れる、かつフィルムシートの柔軟な収縮性を利用し、接合部を噛み合わせる事で強固な構造を作り出す事ができる。
【考案実施の形態】
【０００６】  図１は本考案の組み立て飛行機（１）の視図である。図１で組み立て飛行機にはフック構造を持った差し込み（ａ１）（ｂ１）（ｃ１）これと対になる切り込み（ａ２）（ｂ２）（ｃ２）を備えた胴体（２）が大部分をトムソンで打ち抜かれ部分的にシートに固定された状態で備わっている。
【０００７】  図２は本考案の組み立て飛行機（１）に備わる胴体（２）の斜図である。トムソン型で折り筋加工、打ち抜き加工された胴体（２）を組み立て、胴体（２）の両端に対になる様に設けられた複数の差し込み（ａ１）（ｂ１）（ｃ１）と切り込み（ａ２）（ｂ２）（ｃ２）を組み合わせる事で、糊やテープ等の接着道具がなくても強度を保つ事ができる。
【０００８】  この組み立て飛行機（１）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【図面の簡単な説明】
【０００９】
【図１】本考案の組み立て飛行機の視図
【図２】図１の組み立て飛行機胴体部分の斜図
【符号の説明】
【００１０】１    組み立て飛行機
２    胴体
ａ１  差し込み１
ｂ１  差し込み２
ｃ１  差し込み３
ａ２  切り込み１
ｂ２  切り込み２
ｃ２  切り込み３
【図１】
0003182051.tif 000003
【図２】
0003182051.tif 000004
(57)【要約】      （修正有）【課題】低廉に、軽重量の積雪寒冷地用杖先用具を提供する。【解決手段】路面に対しておよそ７５度の傾斜角で突いた時に路面接地面積が最大になるように路面に対しておよそ７５度の角度で傾斜する杖の先端部を挿入する底部に打金２を有する穴を設ける。さらに、本体３の底部に滑り止め用の広い面積の凹凸壁４を形成し、杖先を路面に突いた状態で杖を前進回転傾斜させても、形成する弾力性の高い素材の弾力により、路面接地面積が変わらず維持される滑り止め用の凹凸壁面積の大きな積雪寒冷地用杖先用具により積雪寒冷地の冬季凍結路面での安全な杖歩行とする。【選択図】図１
0003182054.tif 000002
【実用新案登録請求の範囲】
【請求項１】
弾力性を有する素材により形成し、路面に対しておよそ７５度の角度で傾斜する杖の先端部を挿入する底部に打金を有する穴を有し、本体の底部に滑り止め用の凹凸壁を形成する靴状の凍結路面対応の杖先用具。
【考案の詳細な説明】
【技術分野】
【０００１】
本考案は、圧雪路あるいは凍結路面等で使用する滑り止め効果を有する杖先用具の改良に関するものである。
【背景技術】
【０００２】
積雪寒冷地の冬季凍結路面では、杖歩行者は転倒の危険防止のため、一般に従来式の折りたたみ式の鋭利な先端を有する金具を杖の先端に別体に取り付け、凍結路面では鋭利な先端を有する金具を下向きにして滑り止めとし、凍結路面で使用しないときは杖の外側に鋭利な先端を有する金具が上向きになるように折り返す形式のものが使用されている。従来式の折りたたみ式の鋭利な先端を有する金具は重量がある。
【０００３】
杖軸内部に鋭利な釘状の金具を内蔵し、グリップに取り付けられたレバーで鋭利な釘状の金具を出し入れできる杖である公開番号特許公開２００３−３１９８１０も使用されている。
【先行技術文献】
【特許文献】
【０００４】
【特許文献１】公開番号特許公開２００３−３１９８１０
【考案の概要】
【考案が解決しようとする課題】
【０００５】
積雪寒冷地都市部の冬季の現実的路面は、凍結路面、ロードヒーティングによるアスファルト路面、鏡面タイル、圧雪路と、数歩毎に路面状況は変化し、そのたびに鋭利な先端を有する金具の出し入れすることは非効率的である。アスファルト上の透明な凍結路面はブラックアイスバーンと呼ばれ凍結路面かどうか視覚で判断することは困難なため、転倒を防げないこともある。本考案は、積雪寒冷地の冬季凍結路面で滑りにくい杖先用具の提供を課題としている。
【０００６】
鋭利な先端を有する金具は極めて鋭利で、周囲の歩行者に恐怖感を与えるのみならず、周囲の歩行者を傷つけてしまうことも、杖歩行者自身が誤って自らを傷つけてしまう恐れがある等、非常に危険である。本考案は、積雪寒冷地の冬季凍結路面で鋭利な先端を有する金具を用いずに滑りにくい安全な杖先用具の提供を課題としている。
【０００７】
杖歩行の要因が筋ジストロフィーや重症筋無力症等の全身筋力の低下を特徴とするミオパチー疾患の場合、歩行用杖そのものの軽重量化は命題であり、カーボンファイバーやアルミニウム合金製の軽重量の歩行用杖が広く用いられているが、重量の重い従来式の折りたたみ式の鋭利な先端を有する金具を杖先に取り付けると杖先が重くなり、使用に耐えない。本考案は、積雪寒冷地の冬季凍結路面で滑りにくく、軽重量の杖先用具の提供を課題としている。
【課題を解決するための手段】
【０００８】
弾力性を有する素材により形成し、路面に対しておよそ７５度の角度で傾斜する杖の先端部を挿入する底部に打金を有する穴を有し、本体の底部に滑り止め用の広い面積の凹凸壁を形成する靴型の凍結路面対応の杖先用具により課題を解決している。
【考案の効果】
【０００９】
単純明快に、積雪寒冷地の冬季凍結路面で滑りにくく安全な杖歩行を、低廉に、軽重量な杖先用具により提供できる。杖先を路面に突いた状態で杖を前進回転傾斜させても、杖先用具を形成する弾力性の高い素材の弾力により、路面接地面積が変わらず維持されるため安定した歩行が可能になる。
【図面の簡単な説明】
【００１０】
【図１】同考案の杖先用具の路面接地時の縦断面図である。
【図２】同考案の杖先用具の歩行前進回転傾斜図である。
【図３】同考案の杖先用具の底面図である。
【符号の説明】
【００１１】
１  杖外軸
２  打金
３  本体
４  滑り止め凹凸壁
【考案を実施するための最良の形態】
【００１２】
以下、図により本考案の詳細形態を説明する。図１は、同考案の杖先用具の路面接地時の縦断面図である。１は杖外軸である。３は同考案の靴型杖先用具本体であり、低温でも硬化し難いゴムあるいは合成樹脂等で形成される。同考案の靴型杖先用具本体底部が路面に接地した状態で、路面に対しておよそ７５度で傾斜する杖の先端部に挿入する穴を有す。その穴の底部に、杖外軸先端部を支える２の打金を有する。底部に４の滑り止め用の凹凸壁を形成し、路面に対しおよそ７５度で路面に突いた時に滑り止め用の凹凸壁の路面接地面積が最大となる。１杖外軸と３本体は、容易く抜けることがないように、硬く挿入あるいは接着固定する。図２は、杖先を路面に突いた状態で杖を前進回転傾斜させた状態であり、本体３を形成する弾力性の高い素材の弾力により、路面接地面積が変わらず最大の状態で維持される。図３は、同考案の杖先用具の底面図であり、同考案の杖先用具の底部に４の滑り止め用凹凸壁を形成する。４の滑り止め用凹凸壁は、多数の六角形からなる凸部のそれぞれ中央部にピン状の凸部を有する滑り止め用のトレッドパターンから形成される。ただし滑り止め用の凹凸壁の形状はこれに限られるものではなく、山形又はＷ字形の凹凸からなる滑り止め用トレッドパターン、波線状の凹凸からなる滑り止め用トレッドパターントレッドパターン、菱形の多数の凸部からなる滑り止め用のトレッドパターン等、様々なものがあり得る。４の滑り止め用凹凸壁の素材に低温時でも硬度３０度程度が維持されるゴム素材等を用いる、あるいはクルミの殻やグラスファイバー等を配合することで滑り止め性能を高めることが可能である。Ｔ字型グリップを有する棒状杖の杖外軸先端直径８ミリメートルの杖先に装着する場合、図３に示した同考案の靴型杖先用具本体の底面の全長は４５ミリメートルから５０ミリメートル程度、最大幅は２５ミリメートルから３０ミリメートルが望ましい。従来品の杖先ゴムと比べ路面への接地面積の大きさは一目瞭然であり、歩行前進回転傾斜時も路面への接地面積が変わらず維持され、優れた滑り止め効果を発揮し、積雪寒冷地の冬季凍結路面での安全で安定した歩行に寄与する。
【図１】
0003182054.tif 000003
【図２】
0003182054.tif 000004
【図３】
0003182054.tif 000005
(57)【要約】      （修正有）【課題】ホットパックの温熱を持続させると共に、下腿の血流をあたため全身を効果的にあたためる足温箱を提供する。【解決手段】使用場所を限定させないために小型化させ、椅子の下等に収納できるサイズとし、材質を耐久性のある木材とした。本体上部に足を入れる開口部をもうけ、さらに開閉式とし足の出し入れをしやすくした。内側には、保温材４を貼り温熱効果を高めた。下腿部を効果的にあたためるために、足底部から足首にあたるようにホットパック６を設置し、膝掛け等を使用し下肢全体をあたためられるようにした。【選択図】図２
0003182058.tif 000002
【実用新案登録請求の範囲】
【請求項１】
足を入れられる大きな開口部のある開閉式の蓋を有する木製の箱の内部に、
電子レンジであたためた湿熱式のホットパックを設置し、椅子に座り足を挿入し
簡単に足湯同等の効果を得ることが出来る足温箱。
【考案の詳細な説明】
【技術分野】
【０００１】
本発明は、下腿をあたため新陳代謝を活溌化し、血液の循環を良くするための足温箱である。
【背景技術】
【０００２】
事務机の足元に設置する目的のため、膝まで囲める様に大きいサイズである。素材はダンボールで出来ており、本体正面より足を挿入出来る様に正面を開口部とし、カーテンを設置して暖気を逃がさない様にしている。（例えば  特許文献１参照）
【先行技術文献】
【特許文献】
【０００３】
【特許文献１】特開２０００−２２９０９９号公報
【考案の概要】
【考案が解決しようとする課題】
【０００４】
事務机の足元に設置する目的のため、膝まで囲める様に大きいサイズである。素材はダンボールで出来ており、本体正面より足を挿入出来る様に正面を開口部とし、カーテンを設置して暖気を逃がさない様にしている。
湿熱式ホットパックは平形、肩、腰等があるが、下肢用はない。
【課題を解決するための手段】
【０００５】
使用場所を限定させないために小型化させ、椅子の下等に収納できるサイズとした。ダンボールでは耐久性に難があるため、耐久性のある木材とした。本体上部に足を入れる開口部をもうけ、さらに開閉式とし足の出し入れをしやすくした。内側には、保温材を貼り温熱効果を高めた。下腿部を効果的にあたためるために、足底部から足首にあたるようにホットパックを設置し、膝掛け等を使用し下肢全体をあたためられるようにした。
【考案の効果】
【０００６】
木製の箱に湿熱式ホットパックを底面と後ろ側面に折り曲げ設置し、効果的に下腿
をあたためる事ができる。木製の箱の上部は、開口部が大きく開閉ができるので、
足の出し入れがしやすい。内側には、保温材を貼り付けてあるためホットパックの
温熱時間を伸ばす事ができる。
本体を木製としている利点は、木本来の吸湿・放湿作用により使用時の足の蒸れ等の不快感を軽減できる。木製のあたたかみとヒノキ材の芳香は気持ちが落ち着き緊張をほぐす。
足湯は、事前準備や靴下を脱いだり、足を拭いたりと手間がかかるが、本考案は、靴下を脱いだりなどの準備もなく使用出来、下腿をあたためる事で血流があたためられ筋肉の緊張・収縮をほぐし、全身があたたまる。簡単に足湯同等の効果を得る事が出来る。
【図面の簡単な説明】
【０００７】
【図１】本考案の足温箱の外形図である。
【図２】本考案の足湯箱の蓋を開けた状態の内視図である。
【図３】本考案の足温箱の使用状態を表す図である。
【考案を実施するための形態】
【０００８】
図１は本考案の足温箱の外形図である。
１の本体は木材で出来ており、木製のあたたかみとヒノキ材の芳香は、気持ちが落ち着き緊張を緩和させるヒーリング効果を与えるものである。木本来の吸湿・放湿作用により使用時の足の蒸れ等の不快感を軽減する効果も併せ持つ。
本考案は、居宅室内で使用することを前提にしているため、機能性だけではなく
インテリア性も重視しデザインしている。使用後に椅子の下に収納できるサイズにしたのもそのためである。
２の開閉式の蓋には足を入れられる開口部をもうけてある。足を差し入れたときに、負荷がかからないように開口部の形状はラウンド型を採用している。
３の取っ手は１の本体前面に取り付けてあり、使用前・使用後の収納をスムーズに行えるように取り付けてある。
図２は２の蓋を開けた状態の内視図である。
２の蓋はちょう番で大きく開閉し、足の出し入れをスムーズに行える。
４の保温材は内側面に貼付してあり、２の蓋の部分は、冷気の混入と暖気が逃げるのを防ぐために、ちょう番を覆うように貼り付けてある。
５の底板は床面に接しないよう作られおり、側面に貼付した保温材より厚みの有る保温材を敷き詰めたことで、床からの冷気が上がってくるのを防ぐとともに、ホットパックの温熱時間をのばすことができる。
６のホットパックは電子レンジであたためた後、１の本体内部の底面と後ろ側面に折り返すように設置する。
図３は使用状態を表す図である。
７の椅子に座り１の本体の２の蓋を開けて足を差し入れ、６のホットパックの上に足を乗せる。ホットパックの湿熱で下腿をあたため、新陳代謝を活発化させ、あたためられた血液の循環を良くし、筋肉の緊張・収縮をほぐす。８のひざ掛けをつま先から膝まで覆うことで下肢全体があたためられ、簡単に足湯同等の効果を得る事が出来る。
【符号の説明】
【０００９】
1  本体
2  蓋  
3  取っ手  
4  保温材  
5  底板
6  ホットパック  
7  椅子
8  ひざ掛け  
【図１】
0003182058.tif 000003
【図２】
0003182058.tif 000004
【図３】
0003182058.tif 000005